(57)【要約】    【課題】  リクライニング動作を行った後頭側と足側に分離することで、利用者に容易に座位を取らせることが出来るリクライニングベッドを提供する。    【解決手段】  リクライニングベッド１は、頭側ベッドフレーム４１と、頭側ベッドフレーム４１に分離可能に連結された足側ベッドフレーム４５と、頭側ベッドフレーム４１に対する傾斜角が変化する頭側床板１１と、第一足側端部１５ａが足側ベッドフレーム４５に沿って移動可能に設けられた第一の足側床板１５と、第一の足側床板１５の第一頭側端部１５ｂに第二足側端部２５ａが相対回転及び分離可能に連結され、第二頭側端部２５ｂが頭側ベッドフレーム４１に対して回動可能に設けられた第二の足側床板２５と、頭側ベッドフレーム４１に固定されたアクチュエータ５０と、アクチュエータ５０と頭側床板１１及び第二の足側床板２５の間を連結する第一リンク機構６０と、を備える。【選択図】  図５
2010104466.tif 000002
【特許請求の範囲】
【請求項１】
頭側ベッドフレームと、
前記頭側ベッドフレームに分離可能に連結された足側ベッドフレームと、
前記頭側ベッドフレームに対して傾斜角が変化する頭側床板と、
前記足側ベッドフレームに沿って移動可能な第一足側端部を一端とし、他端には第一頭側端部を有すると共に、前記足側ベッドフレームに対して相対回転可能に設けられた第一の足側床板と、
前記第一頭側端部に相対回転及び分離可能に連結される第二足側端部を一端とし、前記頭側ベッドフレームに対して回動可能に他端の第二頭側端部が前記頭側ベッドフレームに設けられた第二の足側床板と、
前記頭側ベッドフレームに取り付けられた駆動装置と、
前記駆動装置と前記頭側床板及び前記第二の足側床板の間を連結する第一リンク機構と、を備えたリクライニングベッド。
【請求項２】
前記頭側床板は起伏可能な側板を幅方向の少なくともいずれか一方に備え、前記側板と前記駆動装置との間は第二リンク機構により連結されていることを特徴とする請求項１に記載のリクライニングベッド。
【請求項３】
前記第一の足側床板と前記第二の足側床板との連結部は、利用者が横たわった時の膝の位置に設定されることを特徴とする請求項１又は２に記載のリクライニングベッド。
【請求項４】
前記第一の足側床板又は前記第二の足側床板のいずれか一方は係止部を備え、他方は前記係止部に係止される被係止部を備えることを特徴とする請求項１乃至３のいずれか一項に記載のリクライニングベッド。
【請求項５】
頭側の第１ベッドフレームと、
該第１ベッドフレームに対して移動自在となり、前記第１ベッドフレームに連結されると共に分離が行える足側の第２ベッドフレームと、
前記第１ベッドフレーム上に設けられ、前記第１ベッドフレームに対して傾斜角が変化する頭側の第１床板と、
前記第１ベッドフレームに設けられ移動自在な第２床板と、
該第２床板と連結し、一端が前記第２ベッドフレームに沿って移動する足側の第３床板と、
前記第１床板の傾斜角を変化させる駆動装置と、
該駆動装置に連携して前記第２床板と前記第３床板との間の角度を変化させることにより膝角度を変えるリンク機構とを備えたリクライニングベッド。
【請求項６】
前記第１床板の両側には頭の横ずれを両側で支える第４床板を備え、該第４床板は前記リンク機構の動作により起伏する請求項５に記載のリクライニングベッド。
【請求項７】
前記第２床板と前記第３床板が連結する部位には凹凸形状を呈する嵌合機構を備える請求項５又は６に記載のリクライニングベッド。
【請求項８】
前記第１ベッドフレームと前記第２ベッドフレームが連結する部位には、前記第１ベッドフレームに対して、前記第２ベッドフレームを横方向に移動させることにより分離が行えるスライドレールを備える請求項５乃至７のいづれか一項に記載のリクライニングベッド。
【発明の詳細な説明】
【技術分野】
【０００１】
本発明は、分離可能なリクライニングベッドに関する。
【背景技術】
【０００２】
従来のスライド式介護ベッドは、座部スライドフレームをベッドフレームから独立させ、ベッドの幅方向にスライド出来るように構成されている。背もたれ部は倒立自在に座部スライドフレームに支承されアクチュエータを介して倒立駆動される。（例えば、特許文献１参照。）。これにより、オムツ交換や体位変更、車椅子への移乗動作において、患者等と介護者双方の苦痛と過負荷を大幅に軽減出来る。
【０００３】
また、従来のスライドベッドは、ベッドフレーム本体を頭側ベッドフレームと足側ベッドフレームの分離型とし、個々のベッドフレームの四隅部にキャスター付き支柱脚を設けて個別に移動出来る構成とし、前記の頭側ベッドフレームと足側ベッドフレーム双方の内側端面部の間で自在にスライド出来るように、横行摺動部を設け一組のスライド金具を係合する形として、その摺動面に非鉄金属系又は合成樹脂製の摺動板を取り付け相互に摺動可能な構成としてある。これにより、ベッド不使用時における収納スペースが大幅に節減される（例えば、特許文献２参照。）。
【特許文献１】実用新案登録第３１０２３２４号公報
【特許文献２】特開２００１−１７０１１５号公報
【発明の開示】
【発明が解決しようとする課題】
【０００４】
しかしながら、特許文献１のスライド式介護ベッドでは、スライド量に制限があるので、利用者は予めスライド方向に体をずらすか、下肢部のみ斜め方向にして、スライド部にかかとを下ろす方法で座位姿勢を取る必要がある。これは、健常な利用者であれば問題ないが、上半身の座位姿勢が困難な利用者にとっては不安定な姿勢であり、左右に倒れる恐れがある。又、正面から移乗機、車椅子を近づけて移乗させる場合にスペースが少ないため、移乗作業が困難となる恐れがある。
【０００５】
また、特許文献２のスライドベッドにはリクライニング機構が設けられていないので、特許文献２のスライドベッドを、リクライニング機構を備えた介護ベッドに適用するのは困難である。
【０００６】
本発明は上記問題点に鑑みてなされたものであり、リクライニング動作を行った後頭側と足側に分離することで、利用者に容易に座位を取らせることが出来るリクライニングベッドを提供することを目的とする。
【課題を解決するための手段】
【０００７】
上記課題を解決するため、第１の技術的手段は、頭側ベッドフレームと、前記頭側ベッドフレームに分離可能に連結された足側ベッドフレームと、前記頭側ベッドフレームに対して傾斜角が変化する頭側床板と、前記足側ベッドフレームに沿って移動可能な第一足側端部を一端とし、他端には第一頭側端部を有するとともに、前記足側ベッドフレームに対して相対回転可能に設けられた第一の足側床板と、前記第一頭側端部に相対回転及び分離可能に連結される第二足側端部を一端とし、前記頭側ベッドフレームに対して回動可能に他端の第二頭側端部が前記頭側ベッドフレームに設けられた第二の足側床板と、前記頭側ベッドフレームに取り付けられた駆動装置と、前記駆動装置と前記頭側床板及び前記第二の足側床板の間を連結する第一リンク機構と、を備えた構成とした。
【０００８】
この場合、前記頭側床板は起伏可能な側板を幅方向の少なくともいずれか一方に備え、前記側板と前記駆動装置との間は第二リンク機構により連結されていると良い。
【０００９】
また、前記第一の足側床板と前記第二の足側床板との連結部は、利用者が横たわった時の膝の位置に設定されると良い。
【００１０】
更に、前記第一の足側床板又は前記第二の足側床板のいずれか一方は係止部を備え、他方は前記係止部に係止される被係止部を備えると良い。
【００１１】
また、上記課題を解決するため、第２の技術的手段は、頭側の第１ベッドフレームと、該第１ベッドフレームに対して移動自在となり、前記第１ベッドフレームに連結されると共に分離が行える足側の第２ベッドフレームと、前記第１ベッドフレーム上に設けられ、前記第１ベッドフレームに対して傾斜角が変化する頭側の第１床板と、前記第１ベッドフレームに設けられ移動自在な第２床板と、該第２床板と連結し、一端が前記第２ベッドフレームに沿って移動する足側の第３床板と、前記第１床板の傾斜角を変化させる駆動装置と、該駆動装置に連携して前記第２床板と前記第３床板との間の角度を変化させることにより膝角度を変えるリンク機構とを備えた構成とした。
【００１２】
この場合、前記第１床板の両側には頭の横ずれを両側で支える第４床板を備え、該第４床板は前記リンク機構の動作により起伏すると良い。
【００１３】
また、前記第２床板と前記第３床板が連結する部位には凹凸形状を呈する嵌合機構を備えると良い。
【００１４】
更に、前記第１ベッドフレームと前記第２ベッドフレームが連結する部位には、前記第１ベッドフレームに対して、前記第２ベッドフレームを横方向に移動させることにより分離が行えるスライドレールを備えると良い。
【発明の効果】
【００１５】
上記した第１の技術的手段によれば、足側ベッドフレームが頭側ベッドフレームに分離可能に連結されており、第二の足側床板が第一の足側床板に相対回転可能及び分離可能に連結されているので、リクライニングベッドを頭側と足側に分離することが出来る。また、駆動装置及び駆動装置と頭側床板及び第二の足側床板との間を連結する第一リンク機構を備えるので、膝上げと並行して背上げを行うリクライニング動作を行うことが出来る。よって、リクライニング動作を行った後、リクライニングベッドを頭側と足側に分離し、利用者の足を下ろすことで、利用者に容易に座位を取らせることが出来る。
【００１６】
この場合、頭側床板及び第一の足側床板の回動の際、側板を起こすことが出来るようにすれば、リクライニング動作の際、利用者の体が頭側床板からはみ出して倒れるのを防ぐことが出来る。
【００１７】
また、第一の足側床板と第二の足側床板との連結部は利用者が横たわった時の膝の位置に設定すれば、利用者がリクライニングベッドに横たわった状態でリクライニング動作を行った後、リクライニングベッドを頭側と足側に分離し、利用者の足を下ろすことで、利用者に容易に座位を取らせることが出来る。
【００１８】
更に、第一の足側床板又は第二の足側床板のいずれか一方は係止部を備え、他方は係止部に係止される被係止部を備えるようにすれば、リクライニングベッドを第一の足側床板と第二の足側床板との間の位置で容易に分離・係止することが出来る。
【００１９】
上記した第２の技術的手段によれば、また、第２ベッドフレームが第１ベッドフレームに対して移動自在となるように連結されると共に分離が行えるため、リクライニングベッドを頭側と足側に分離することが出来る。また、前記第１ベッドフレーム上に設けられ、前記第１ベッドフレームに対して傾斜角が変化する頭側の第１床板と、前記第１ベッドフレームに設けられ移動自在な第２床板と、該第２床板と連結し、一端が前記第２ベッドフレームに沿って移動する足側の第３床板と、前記第１床板の傾斜角を変化させる駆動装置と、該駆動装置に連携して前記第２床板と前記第３床板との間の角度を変化させることにより膝角度を変えるリンク機構を備えるため、膝上げと並行して背上げを行うリクライニング動作を行うことが出来る。
【００２０】
この場合、前記第１床板の両側には頭の横ずれを両側で支える第４床板を備え、該第４床板は前記リンク機構の動作により起伏するようにすれば、リクライニング動作の際、利用者の体が頭側床板からはみ出して倒れるのを防ぐことが出来る。
【００２１】
また、前記第２床板と前記第３床板が連結する部位には凹凸形状を呈する嵌合機構を備えるようにすれば、前記第２床板と前記第３床板の分離・係止が容易に出来る。
【００２２】
更に、更に、前記第１ベッドフレームと前記第２ベッドフレームが連結する部位には、前記第１ベッドフレームに対して、前記第２ベッドフレームを横方向に移動させることにより分離が行えるスライドレールを備えるようにすれば、前記第１ベッドフレームと前記第２ベッドフレームの分離・係止が容易に出来る。
【発明を実施するための最良の形態】
【００２３】
以下に本発明の実施形態を図面を参照しつつ詳細に説明する。
【００２４】
（実施例１）
図１は本発明の実施例１のリクライニングベッド１の側面を示す説明図である。本発明の実施例１のリクライニングベッド１は、床板１０と、床板１０を支えるベッドフレーム４０と、床板を駆動しベッドフレーム４０に固定される駆動装置としてのアクチュエータ５０と、アクチュエータ５０から床板１０へ駆動力を伝達する第一リンク機構６０及び第二リンク機構６０ａと、を備える。なお、図１は、第一リンク機構６０等の説明のために一部透過図となっている。
【００２５】
ベッドフレーム４０は、利用者がリクライニングベッド１に横たわった時の膝の位置で頭側ベッドフレーム（第１ベッドフレーム）４１と足側ベッドフレーム（第２ベッドフレーム）４５とに分離可能である。ここで、膝の位置は個々人により異なるので、平均的な膝の位置とする。頭側ベッドフレーム４１と足側ベッドフレーム４５との間は、ボルト−ナットにより連結されている。
【００２６】
床板１０は、頭側床板（第１床板）１１と、第一の足側床板（第３床板）１５と、第二の足側床板（第２床板）２５と、を備える。頭側床板１１はレール部１２を備え、頭側ベッドフレーム４１に対して後述の第一リンク機構６０を介して傾斜が変化するように設けられている。第一の足側床板１５の足側端部（第一足側端部）１５ａは、足側ベッドフレーム４５に対して摺動（移動）可能に設けられている。第二の足側床板２５は、その足側端部（第二足側端部）２５ａが第一の足側床板１５の頭側端部（第一頭側端部）に対して相対回転可能及び分離可能に連結されている。第二の足側床板２５の頭側端部（第二頭側端部）２５ｂは、軸２８を介して頭側ベッドフレーム４１に対して回動可能に設けられている。図２は本発明の実施例１のリクライニングベッド１のベッドフレーム４０、床板１０の上面を示す説明図である。なお、図２は一部透過図となっている。図２のように、頭側床板１１は、その幅方向（図２の上下方向で、利用者がベッドの上に仰向けに横たわった時の左右方向）の少なくともいずれか一方に、蝶番３７により背板３８に対して起伏可能な側板（第４床板）３５を備えている。
【００２７】
図３は本発明の実施例１のリクライニングベッド１の第一の足側床板１５と第二の足側床板２５との連結部１６を示す部分拡大側面図である。連結部１６には、凹凸形状を呈する嵌合機構として、フック部２６と軸１７を備えている。第二の足側床板２５には、板部２５ｃとフレーム部２５ｄを有しており、フレーム部２５ｄに係止部としてのフック部２６が設けられている。第一の足側床板１５には、板部１５ｃとフレーム部１５ｄを有しており、フレーム部１５ｄに被係止部としての軸１７が固定されている。フック部２６の先端の位置は、第一の足側床板１５及び第二の足側床板２５が水平状態の際に、軸１７の下端との間に隙間Ｇが出来るように設定されている。なお、第一の足側床板１５に係止部としてのフック部、第二の足側床板２５に被係止部としての軸が設けられていても良い。又、係止部、被係止部の具体的形状はフック部、軸に限られない。
【００２８】
図１を参照して、本発明の実施例１のリクライニングベッド１の床板１０を駆動するアクチュエータ５０、第一リンク機構（リンク機構）６０及び第二リンク機構（リンク機構）６０ａについて説明する。伸縮式のアクチュエータ５０は頭側ベッドフレーム４１に取り付けられている。アクチュエータ５０の可動部５１にはリンク６１の一端が相対回転可能に連結されている。リンク６１の他端は、頭側ベッドフレーム４１に固定されたシャフト部４３（図２）に挿通されたパイプ６２に溶接されており、頭側ベッドフレーム４１に対して相対回転可能となっている。パイプ６２にはリンク６３の一端が溶接されている。リンク６３の他端にはローラー６４が設けられ、ローラー６４を介してリンク６３が頭側床板１１を支えるようになっている。ローラー６４は、回動しながら頭側床板１１のレール部１２に沿って移動する。
【００２９】
頭側床板１１の下端には、リンク７０の一端が相対回転可能に連結されている。リンク７０の他端は、頭側ベッドフレーム４１に固定されたシャフト部４３（図２）に挿通されたパイプ７１に溶接されており、頭側ベッドフレーム４１に対して相対回転可能となっている。
【００３０】
頭側ベッドフレーム４１にはさらに、リンク７２の一端が相対回転可能に連結されている。リンク７２の中間部は、頭側床板１１の側面に相対回転可能に連結されている。リンク７２の他端にはローラー７３が設けられ、回動しながら側板３５を押し上げる。
【００３１】
パイプ６２にはリンク８０の一端が溶接されている。リンク８０の他端には、長尺のリンク８１の一端が相対回転可能に連結されている。リンク８１の他端には、リンク８２の一端が相対回転可能に連結されている。リンク８２の他端は、頭側ベッドフレーム４１に固定されたシャフト部４４（図２）に挿通されたパイプ８３に溶接されており、頭側ベッドフレーム４１に対して相対回転可能に連結されている。パイプ８３にはリンク８４の一端が溶接されている。リンク８４の他端にはリンク８５の一端が相対回転可能に連結されている。リンク８５の他端はリンク８６の略中央部に連結されている。リンク８６の下側の他端にはローラー８７が設けられ、ローラー８７が回動しながら頭側ベッドフレーム４１に設けられたレール部（図示なし）に沿って移動する。リンク８６の他端はリンク８８の略中央部に相対回転可能に連結されている。リンク８８の一端は頭側ベッドフレーム４１に固定されたシャフト部４４（図２）に挿通されたパイプ８９に溶接されており、頭側ベッドフレーム４１に対して相対回転可能に連結されている。リンク８８の他端にはローラー９０が設けられ、回動しながら第二の足側床板２５のレール部２７に沿って移動する。
【００３２】
なお、上記リンク６１、パイプ６２、リンク６３、ローラー６４、リンク７０、パイプ７１、リンク７２、リンク８０、リンク８１、リンク８２、パイプ８３、リンク８４、リンク８５、リンク８６、ローラー８７、リンク８８、パイプ８９、ローラー９０は、第一リンク機構６０を構成する。また、リンク６１、パイプ６２、リンク６３、ローラー６４、リンク７０、リンク７２、ローラー７３は、第二リンク機構６０ａを構成する。リンク６１、パイプ６２、リンク６３、ローラー６４、リンク７０、リンク７２は、第一リンク機構６０及び第二リンク機構６０ａの両方の機能を担うが、第一リンク機構６０と第二リンク機構６０ａとをそれぞれ独立して設けても良い。
【００３３】
本発明の実施例１のリクライニングベッド１の動作を以下に説明する。アクチュエータ５０の可動部５１が図１の右方向へ移動すると、アクチュエータ５０の可動部５１に連結されたリンク６１が図１の反時計方向に回動する。リンク６１が図１の反時計方向に回転すると、リンク６１が溶接されたパイプ６２が頭側ベッドフレーム４１に固定されたシャフト部４３（図２）に対して図１の反時計方向に回動する。パイプ６２が図１の反時計方向に回動すると、パイプ６２に溶接されたリンク６３が図１の反時計方向に回動する。リンク６３が図１の反時計方向に回動すると、リンク６３はローラー６４を介して頭側床板１１を持ち上げて図１の反時計方向に回動させる。この時、リンク６３のローラー６４は、頭側床板１１のレール部１２に沿い、頭側床板１１の下端へ向かって（図１の左下方向へ）回動しながら移動する。ここで、頭側床板１１の下端がリンク７０を介して頭側ベッドフレーム４１に連結されており、また、頭側床板１１の側面がリンク７２を介して頭側ベッドフレーム４１に連結されているため、頭側床板１１はその下端を図１の右方向に移動させながら図１の反時計方向に回動する。これにより、リクライニング動作の際に利用者の腰を無理に折り曲げるのを防ぐことが出来る。このリクライニング動作の際、リンク７２と頭側床板１１とは、その相対角度が大きくなるように相対移動するので、リンク７２はローラー７３を介して側板３５を起き上がらせる。この際、ローラー７３は回動しながら側板３５を起き上がらせる。これにより、リクライニング動作の際に利用者の体が頭側床板１１からはみ出して倒れるのを防ぐことが出来る。
【００３４】
アクチュエータ５０の可動部５１が図１の右方向に移動してリンク６１が図１の反時計方向に回動し、パイプ６２が頭側ベッドフレーム４１に対して図１の反時計方向に回動すると、パイプ６２に溶接されたリンク８０が図１の反時計方向に回動する。リンク８０が図１の反時計方向に回動すると、リンク８１が図１の右方向に移動する。リンク８１が図１の右方向に移動すると、リンク８２が図１の反時計方向に回動する。リンク８２が図１の反時計方向に回動すると、リンク８２が溶接されたパイプ８３が頭側ベッドフレーム４１に固定されたシャフト部４４（図２）に対して図１の反時計方向に回動する。パイプ８３が図１の反時計方向に回動すると、パイプ８３に溶接されたリンク８４が図１の反時計方向に回動する。リンク８４が図１の反時計方向に回動すると、リンク８４に連結されたリンク８５が図１の右方向に移動する。リンク８５が図１の右方向に移動すると、リンク８６の他端に設けられたローラー８７が回動しながら頭側ベッドフレーム４１に設けられたレール部（図示なし）に沿って図１の右方向に移動し、リンク８６がリンク８８との連結部を回動中心として図１の反時計方向に回動する。
【００３５】
ローラー８７がリンク８６とリンク８８との連結部よりも図１の左側にある時は、ローラー８７の右への移動に伴ってリンク８６とリンク８８との連結部は図１の上方向へ移動する。これに伴い、リンク８８は、リンク８８が溶接されたパイプ８９が挿通された頭側ベッドフレーム４１に固定されたシャフト４４（図２）を回動中心として、図１の反時計方向に回動する。リンク８８が図１の反時計方向に回動すると、リンク８８の他端に設けられたローラー９０が回動しながら第二の足側床板２５のレール部２７に沿って図１の左側に移動し、第二の足側床板２５を、軸２８を回動中心として頭側ベッドフレーム４１に対して図１の時計回りに回動させる。図４は本発明の実施例１のリクライニングベッド１の第一の足側床板１５と第二の足側床板２５との連結部１６を示す部分拡大側面図である。図４のように、第二の足側床板２５が図１の時計回りに回動すると、第一の足側床板１５の軸１７が第二の足側床板２５のフック部２６により係止されるので、第一の足側床板１５は、第一の足側端部１５ａを足側ベッドフレーム４５に対して摺動させながら、図１の反時計回りに相対回転する。
【００３６】
図１に戻って、ローラー８７がリンク８６とリンク８８との連結部よりも図１の右側にある時は、ローラー８７の図１の右方向への移動に伴ってリンク８６とリンク８８との連結部は図１の下方向へ移動する。これに伴い、リンク８８は、リンク８８が溶接されたパイプ８９が挿通された頭側ベッドフレーム４１に固定されたシャフト４４を回動中心として、図１の時計方向に回動する。リンク８８が、図１の時計方向に回動すると、ローラー９０が回動しながら第二の足側床板２５のレール部２７に沿って図１の右方向に移動し、第二の足側床板２５を、軸２８を回動中心として頭側ベッドフレーム４１に対して図１の反時計回りに回動させる。第二の足側床板２５が図１の反時計回りに回動すると、上記した連結部１６により連結されている第一の足側床板１５も、第一の足側端部１５ａを足側ベッドフレーム４５に対して図１の左方向に摺動させながら、図１の時計回りに相対回転する。これにより、頭側床板１１の図１の反時計回りの回動に伴って、第一の足側床板１５と第二の足側床板２５との連結部１６を図１の上下に移動させ、頭側床板１１が完全に起き上がるまでに第一、第二の足側床板１５、２５を水平にさせることが出来る。よって、利用者の膝を持ち上げながら背を持ち上げる動作を行うので、背を持ち上げる動作の際に利用者の体がリクライニングベッド１上の足側にずれてしまうのを防ぐことが出来る。
【００３７】
図５は本発明の実施例１のリクライニングベッド１の分離状態を示す側面からの説明図である。本発明の実施例１のリクライニングベッド１では、頭側ベッドフレーム４１及び足側ベッドフレーム４５がボルト−ナットにより連結されており、頭側床板１１及び第一、第二の足側床板１５、２５の水平状態においては、図３のように、第二の足側床板２５に設けられたフック部２６の先端と第一の足側床板１５に設けられた軸１７の下端との間に隙間Ｇがあるため、足側ベッドフレーム４５に設けられたキャスター４７（図５）を用いて、リクライニングベッド１を頭側と足側に分離し、足側のリクライニングベッド１を図１の左方向に移動可能である。また、第一の足側床板１５と第二の足側床板２５との連結部１６の位置は、利用者が横たわった時の膝の位置に設定されている。よって、頭側ベッドフレーム４１に設けられたアクチュエータ５０により、頭側床板１１、第二の足側床板２５を駆動してリクライニング動作を行った後、リクライニングベッド１を頭側と足側に分離し、利用者の足を下ろすことで、利用者に容易に座位を取らせることが出来る。また、リクライニング動作と同時に側板３５を駆動することによって、利用者の体が頭側床板１１からずれて倒れるのを防ぐことが出来る。また、分離時に足側ベッドフレーム４５をキャスター４７を用いて離れた場所へ移動出来るので、座位を取っている利用者に車椅子を近づけるためのスペースを広く取ることが出来る。
【００３８】
図６は本発明の実施例１のリクライニングベッド１のフレーム４０の連結部を示す部分説明図である。図６のように、ガイド部４６を足側ベッドフレーム４５に設けることで、分離後に再びリクライニングベッド１の足側フレーム４５を頭側フレーム４１に容易に結合することが出来る。この時、第一の足側床板１５と第二の足側床板２５との間も、図３に示す連結部１６により、容易に結合することが出来る。
【００３９】
（実施例２）
実施例２のリクライニングベッド２は、頭側ベッドフレーム４１と足側ベッドフレーム４５の連結部及び第一の足側床板１５と第二の足側床板２５との連結部１６を除いては実施例１と同一であるので説明を省略する。
【００４０】
図７は本発明の実施例２のリクライニングベッド２の頭側ベッドフレーム４１と足側ベッドフレーム４５の間の連結部を示す説明図である。図８は本発明の実施例２のリクライニングベッド２の頭側ベッドフレーム４１と足側ベッドフレーム４５が互いにスライドした状態を示す説明図である。実施例２のリクライニングベッド２の頭側ベッドフレーム４１と足側ベッドフレーム４５との間は、スライドレール４８により連結されている。これにより、足側ベッドフレーム４５は頭側ベッドフレーム４１に対して互いにスライドするようになっている。図９は本発明の実施例２のリクライニングベッド２の第一の足側床板１５と第二の足側床板２５との連結部１６を示す部分拡大側面図である。実施例２のリクライニングベッド２の第一の足側床板１５と第二の足側床板２５との連結部１６では、第一の足側床板１５と第二の足側床板２５のフック部２６の先端との間に隙間Ｈが設けられているので、足側ベッドフレーム４５を頭側ベッドフレーム４１に対してスライドさせる際、第一の足側床板１５を第二の足側床板２５に対してスライド可能である。足側ベッドフレーム４５の図８の上端（又は下端）が頭側ベッドフレーム４１の図８の下端（又は上端）に到達した後は、足側ベッドフレーム４５は頭側ベッドフレーム４１から分離するようになっている。なお、頭側ベッドフレーム４１の図８の上下端には、分離後の足側ベッドフレーム４５が頭側ベッドフレーム４１に容易に連結出来るように、ガイド部４９が設けられている。
【００４１】
実施例２のリクライニングベッド２では、足側ベッドフレーム４５を頭側ベッドフレーム４１に対してスライドさせて分離させ、それと同時に第一の足側床板１５を第二の足側床板２５から分離することが出来るので、足側ベッドフレーム４５に設けられたキャスター４７を用いて頭側と足側に分離可能である。また、第一の足側床板１５と第二の足側床板２５との連結部１６の位置は、利用者が横たわった時の膝の位置に設定されている。よって、頭側ベッドフレーム４１に設けられたアクチュエータ５０により、頭側床板１１、第二の足側床板２５を駆動してリクライニング動作を行った後、リクライニングベッド２を分離することで、利用者に容易に座位をとらせることが出来る。又、同時に側板３５を駆動することによって、利用者の体が頭側床板１１からずれて倒れるのを防ぐことが出来る。また、分離時に足側ベッドフレーム４５をキャスター４７を用いて離れた場所へ移動出来るので、座位を取っている利用者に車椅子を近づけるためのスペースを広く取ることが出来る。
【図面の簡単な説明】
【００４２】
【図１】本発明の実施例１のリクライニングベッドの側面を示す説明図である。
【図２】本発明の実施例１のリクライニングベッドのベッドフレーム、床板の上面を示す説明図である。
【図３】本発明の実施例１のリクライニングベッドの第一の足側床板と第二の足側床板との連結部を示す部分拡大側面図である。
【図４】本発明の実施例１のリクライニングベッドの第一の足側床板と第二の足側床板との連結部を示す部分拡大側面図である。
【図５】本発明の実施例１のリクライニングベッドの分離状態を示す側面からの説明図である。
【図６】本発明の実施例１のリクライニングベッドのフレームの連結部を示す部分説明図である。
【図７】本発明の実施例２のリクライニングベッドの頭側ベッドフレームと足側ベッドフレームの間の連結部を示す説明図である。
【図８】本発明の実施例２のリクライニングベッドの頭側ベッドフレームと足側ベッドフレームが互いにスライドした状態を示す説明図である。
【図９】本発明の実施例２のリクライニングベッドの第一の足側床板と第二の足側床板との連結部を示す部分拡大側面図である。
【符号の説明】
【００４３】
１  リクライニングベッド
１１  頭側床板（第１床板）
１５  第一の足側床板（第３床板）
１５ａ  第一足側端部
１５ｂ  第一頭側端部
１６  連結部
２５  第二の足側床板
２５ａ  第二足側端部（第２床板）
２５ｂ  第二頭側端部
２６  係止部（フック部、嵌合機構）
２７  被係止部（軸、嵌合機構）
３５  側板（第４床板）
４１  頭側ベッドフレーム（第１ベッドフレーム）
４５  足側ベッドフレーム（第２ベッドフレーム）
４８  スライドレール
５０  アクチュエータ（駆動装置）
６０  第一リンク機構（リンク機構）
６０ａ  第二リンク機構（リンク機構）
【図１】
2010104466.tif 000003
【図２】
2010104466.tif 000004
【図３】
2010104466.tif 000005
【図４】
2010104466.tif 000006
【図５】
2010104466.tif 000007
【図６】
2010104466.tif 000008
【図７】
2010104466.tif 000009
【図８】
2010104466.tif 000010
【図９】
2010104466.tif 000011